(57)【要約】    【課題】  基板に実装されたコネクタの取り外しを容易にしようとする電気部品用ソケットを提供する。    【解決手段】  フレキシブルプリント基板３に実装された基板実装コネクタ４の対向する電極部５に接続して、フレキシブルプリント基板３に実装された電気部品の検査に使用する電気部品用ソケットであって、基板実装コネクタ４の各電極部５に接続する接触子８を先端に備え、電極部５に対応して対向配設したコンタクトピン７を有するソケット本体１と、ソケット本体１に進退可能に設けられ、進出操作により基板実装コネクタ４を押圧して基板実装コネクタ４の電極部５とコンタクトピン７の接触子８との接続状態を解除する押圧部２とを備えたものである。【選択図】      図３
2006114433.tif 000002
【特許請求の範囲】
【請求項１】
基板に実装されたコネクタの対向する電極部に接続して、前記基板に実装された電気部品の検査に使用する電気部品用ソケットであって、
前記コネクタの対向する各電極部に接続する接触子を先端に備え、前記電極部に対応して対向配置されたコンタクトピンを有するソケット本体と、
該ソケット本体に進退可能に設けられ、進出操作により前記コネクタを押圧して該コネクタの電極部と前記コンタクトピンの接触子との接続状態を解除する接続解除手段と、
を備えたことを特徴とする電気部品用ソケット。
【請求項２】
前記コンタクトピンの各接触子は、互いに対向する方向に弾性的に変位することを特徴とする請求項１記載の電気部品用ソケット。
【請求項３】
前記コンタクトピンの各接触子は、前記コネクタの対向する電極部に外側から接続することを特徴とする請求項１又は２記載の電気部品用ソケット。
【請求項４】
前記コンタクトピンの各接触子は、前記コネクタの対向する電極部に内側から接続することを特徴とする請求項１又は２記載の電気部品用ソケット。
【請求項５】
前記接続解除手段は、一端部を前記ソケット本体の一側端部に回動可能に軸支された操作レバーの回動操作に伴って進退可能とされたことを特徴とする請求項１〜４のいずれか１項に記載の電気部品用ソケット。
【請求項６】
前記操作レバーは、略Ｕ字状をなして前記ソケット本体の外周縁に沿って設けられ、その両側部の前記接続解除手段に対応する位置に長手方向に延びる長孔が形成され、前記操作レバーの長孔に前記接続解除手段の両側端面に設けた突出部を挿入して前記操作レバーと前記接続解除手段とを結合したことを特徴とする請求項５記載の電気部品用ソケット。
【発明の詳細な説明】
【技術分野】
【０００１】
本発明は、基板に実装されたコネクタ（以下、「基板実装コネクタ」と記載する）の電極部に接続し、基板に実装された電気部品の検査に使用する電気部品用ソケットに関し、詳しくは、接続解除手段の進退操作により基板実装コネクタを押してコンタクトピンの接触子とコネクタの電極部との接続状態を解除して、基板実装コネクタの取り外しを容易にしようとする電気部品用ソケットに係るものである。
【背景技術】
【０００２】
近年、電子機器の小型化にともない、電子部品の実装密度を増大させるために、一対の基板のそれぞれに実装して備える基板実装コネクタを互いに直接接続して基板間を相互に接合する例が増えている。
【０００３】
この種の基板実装コネクタは、一方の基板実装コネクタが凹状の受容部を有して、その対向する側面に複数の電極部を配列しており、他方の基板実装コネクタが凸状の挿入部を有して、その両側面に複数の電極部を配列した構成を有している。そして、他方の基板実装コネクタの挿入部を一方の基板実装コネクタの受容部に嵌合して各コネクタの電極部同士を互いに接触させて電気的接続を取るものとなっている（例えば、特許文献１参照）。そして、このような基板実装コネクタは、一般に、一度嵌合されると容易に取り外すことができないようになっている。
【特許文献１】特開平８−１０２３４８号公報
【発明の開示】
【発明が解決しようとする課題】
【０００４】
しかし、このような基板実装コネクタを介して、基板に実装された電子部品の検査を行う電気部品用ソケットについては、これまで提案がなされておらず、ましてや実用にもなっていない。
【０００５】
この場合、基板実装コネクタの受容部又は挿入部と同形状の受容部又は挿入部を備えた電気部品用ソケットを形成し、この電気部品用ソケットの受容部又は挿入部を基板実装コネクタに嵌合して基板に実装された電子部品の検査を行うことも考えられる。しかし、上述したように、この種の基板実装コネクタは、一度嵌合されると取り外すことが困難であるため、無理やり外そうとして基板実装コネクタにキズを付けたり、例えば基板がフレキシブルプリント基板の場合には、基板が切れて破損する虞がある。
【０００６】
そこで、本発明は、このような問題点に対処し、基板に実装されたコネクタの取り外しを容易にしようとする電気部品用ソケットを提供することを目的とする。
【課題を解決するための手段】
【０００７】
上記目的を達成するために、本発明による電気部品用ソケットは、基板に実装されたコネクタの対向する電極部に接続して、前記基板に実装された電気部品の検査に使用する電気部品用ソケットであって、前記コネクタの対向する各電極部に接続する接触子を先端に備え、前記電極部に対応して対向配置されたコンタクトピンを有するソケット本体と、該ソケット本体に進退可能に設けられ、進出操作により前記コネクタを押圧して該コネクタの電極部と前記コンタクトピンの接触子との接続状態を解除する接続解除手段とを備えたものである。
【０００８】
このような構成により、基板に実装されたコネクタの対向する電極部に対応してソケット本体に対向配置されたコンタクトピンの先端に備えた接触子を、コネクタの対向する各電極部に接続して基板に実装された電気部品の検査をし、ソケット本体に進退可能に設けられた接続解除手段を進出操作し、この接続解除手段でコネクタを押圧してコネクタの電極部とコンタクトピンの接触子との接続状態を解除する。
【０００９】
また、前記コンタクトピンの各接触子は、互いに対向する方向に弾性的に変位するものである。これにより、コンタクトピンの各接触子を互いに対向する方向に弾性的に変位させ、各接触子でコネクタの電極部と接続する。
【００１０】
さらに、前記コンタクトピンの各接触子は、前記コネクタの対向する電極部に外側から接続するものである。これにより、コンタクトピンの各接触子でコネクタの対向する電極部に外側から接続する。
【００１１】
そして、前記コンタクトピンの各接触子は、前記コネクタの対向する電極部に内側から接続するものである。これにより、コンタクトピンの各接触子でコネクタの対向する電極部に内側から接続する。
【００１２】
また、前記接続解除手段は、一端部を前記ソケット本体の一側端部に回動可能に軸支された操作レバーの回動操作に伴って進退可能とされたものである。これにより、一端部をソケット本体の一側端部に回動可能に軸支された操作レバーで、その回動操作に伴って接続解除手段を進退させる。
【００１３】
そして、前記操作レバーは、略Ｕ字状をなして前記ソケット本体の外周縁に沿って設けられ、その両側部の前記接続解除手段に対応する位置に長手方向に延びる長孔が形成され、前記操作レバーの長孔に前記接続解除手段の両側端面に設けた突出部を挿入して前記操作レバーと前記接続解除手段とを結合したものである。これにより、略Ｕ字状をなしてソケット本体の外周縁に沿って操作レバーを設け、この操作レバーの両側部の接続解除手段に対応する位置に長手方向に延びる長孔を形成し、この長孔に接続解除手段の両側端面に設けた突出部を挿入させて操作レバーと接続解除手段とを結合する。
【発明の効果】
【００１４】
請求項１に係る発明によれば、ソケット本体に進退可能に設けられた接続解除手段を進出操作してコネクタを押圧することで、基板に実装されたコネクタの電極部とコンタクトピンの接触子との接続状態を解除するものとしたことにより、ソケット本体からコネクタの取り外しを容易にすることができる。したがって、取り外し時にコネクタを傷つける虞が少ない。
【００１５】
また、請求項２に係る発明によれば、コンタクトピンの各接触子が互いに対向する方向に弾性的に変位するものとしたことにより、各接触子が低圧力で容易に変位してコネクタの電極部を受け入れることができる。したがって、コネクタの装着性がよくなる。
【００１６】
さらに、請求項３に係る発明によれば、コンタクトピンの各接触子がコネクタの対向する電極部に外側から接続するものとしたことにより、各電極部が互いに外側を向いた状態に設けられたコネクタに対して使用することができる。
【００１７】
そして、請求項４に係る発明によれば、コンタクトピンの各接触子がコネクタの対向する電極部に内側から接続するものとしたことにより、各電極部が互いに向い合った状態に設けられたコネクタに対して使用することができる。
【００１８】
また、請求項５に係る発明によれば、接続解除手段をソケット本体に回動可能に設けた操作レバーの回動操作に連動して進退するものとしたことにより、コネクタの電極部とコンタクトピンの接触子との接続状態を解除する解除操作が容易になる。
【００１９】
そして、請求項６に係る発明によれば、操作レバーを略Ｕ字状に形成し、その両側部の長手方向に延びる長孔を設け、この長孔に接続解除手段の両側端面に設けた突出部を挿入させて操作レバーと接続解除手段とを結合したことにより、操作レバーの回動を接続解除手段の進退動作に容易に変換することができる。
【発明を実施するための最良の形態】
【００２０】
以下、本発明の実施形態を添付図面に基づいて詳細に説明する。図１は本発明による電気部品用ソケットの実施形態を示す平面図であり、図２は図１の側面図であり、図３は図１のＸ−Ｘ線断面図である。この電気部品用ソケットは、基板に実装された基板実装コネクタの対向する電極部に接続して、基板に実装された電気部品の検査に使用するものであり、ソケット本体１と、押圧部２と、操作レバー１０とを備えている。
【００２１】
ソケット本体１は、図４に示すような、例えばフレキシブルプリント基板３に実装された基板実装コネクタ４の対向する電極部５に対応して対向配置された後述するコンタクトピン７を有するものであり（図１又は図３を参照）、絶縁性の樹脂で成型されている。
【００２２】
このソケット本体１には、図３に示すように、支持部６が上面に突出して一体的に設けられ、その両側にコンタクトピン７を位置決めして配設する複数のピン挿入孔６ａ及びピン挿入溝６ｂが支持部６を挟んで互いに対向して設けられている。
【００２３】
コンタクトピン７は、基板実装コネクタ４に互いに外側を向いて設けられた各電極部５に対して外側から接続する接触子８を上方に突出させて備え、ピン挿入孔６ａ及びピン挿入溝６ｂに挿入されて支持部６の両側に配設されている。このコンタクトピン７は、図３に示すように基部７ａから下方に延びるソルダー端子７ｂと、基部７ａの一端部から略垂直上方に延びる接触子８を有している。図３（ｂ）に拡大して示すように、接触子８の先端部には、支持部６側に略半円形状の突起部８ａを設けて基板実装コネクタ４の電極部５と安定して接続できるようにしている。そして、コンタクトピン７は、ばね性を有する燐青銅等からなる良伝導性金属材で形成されており、接触子８がその根本部を支点にして同図において左右方向へ弾性的に変位するようにしている。これにより、接触子８と基板実装コネクタ４の電極部５との接続時に、接触子８が外側に変位して電極部５を低圧力で受け入れ可能となる。
【００２４】
ソケット本体１の上面には、進退可能に押圧部２が設けられている。この押圧部２は、進出操作により基板実装コネクタ４を押圧してコンタクトピン７の先端に備えた接触子８と基板実装コネクタ４の電極部５との接続状態を解除する接続解除手段となるものであり、中央部に上下に貫通する貫通孔２ａを設けてこの貫通孔２ａに支持部６及びコンタクトピン７の接触子８を上下方向に挿通させて配設している（図３を参照）。
【００２５】
ソケット本体１の一側端部には、図２に示すように、一端部を回動軸９により回動可能に軸支されて操作レバー１０が設けられている。この操作レバー１０は、回動操作に伴って押圧部２を上下方向に進退させるものであり、図１に示すように、略Ｕ字状をなしてソケット本体１の外周縁に沿って設けられており、その両側部１０ａの押圧部２に対応する位置に長手方向に延びる長孔１２を形成している（図２を参照）。また、図１に示すように、押圧部２の両側端面２ｃには、突出部１３が設けられており、この突出部１３を操作レバー１０の長孔１２に挿入して操作レバー１０と押圧部２とを結合している。なお、突出部１３は、押圧部２の両側端面２ｃに圧入したピンであってもよい。
【００２６】
次に、このように構成された電気部品用ソケットの動作について説明する。
先ず、図５に示すように、基板実装コネクタ４の電極部５がソケット本体１上に突出して配設されたコンタクトピン７の接触子８に対して位置決めされる。そして、接触子８に対して矢印Ａ方向に基板実装コネクタ４を挿入する。このとき、図３（ｂ）に示すように、接触子８は、挿入される基板実装コネクタ４の電極部５によって二点鎖線で示す位置から実線で示す位置まで弾性的に押し広げられ、接触子８の先端部に形成した突起部８ａが電極部５に外側から接触する。
【００２７】
さらに基板実装コネクタ４が挿入されると、図６に示すように、接触子８の突起部８ａが基板実装コネクタ４の電極部５に摺動しながら電極部５の外側に突出させて設けたロック部５ａを下から上に向かって通過する。このとき、接触子８は、図３（ｂ）に破線で示すようにさらに押し広げられて、電極部５のロック部５ａを乗り越えて行く。
【００２８】
そして、図７に示すように、接触子８の突起部８ａが電極部５のロック部５ａに係止する。これにより、基板実装コネクタ４がソケット本体１から容易に抜け落ちないように保持されて接触子８と電極部５との電気的接続状態が維持される。
【００２９】
次に、コンタクトピン７の接触子８と基板実装コネクタ４の電極部５とを接続させた状態で、コンタクトピン７に通電してフレキシブルプリント基板３に実装された電気部品の検査が行われる。
【００３０】
電気部品の検査が終了すると、図２に示すように、操作レバー１０を矢印Ｂ方向に回動する。このとき、操作レバー１０の回動に伴って、押圧部２の両側端面２ｃに設けた突出部１３が操作レバー１０の両側部１０ａに設けた長孔１２内を同図において左から右に移動する。これにより、図８に示すように、操作レバー１０の回動操作で、押圧部２は、垂直上方（矢印Ｄ方向）に上昇し、その上面２ｂで基板実装コネクタ４を押圧して押し上げる。これにより、基板実装コネクタ４の電極部５とコンタクトピン７の接触子８との接続状態が解除され、基板実装コネクタ４をソケット本体１から矢印Ｅ方向に容易に取り外すことができる。基板実装コネクタ４がソケット本体１から取り外された後は、操作レバー１０は、図２に示す矢印Ｃ方向に自重で落下して初期状態に戻る。
【００３１】
このように、本発明の電気部品用ソケットによれば、ソケット本体１に回動可能に設けた操作レバー１０の回動操作により、操作レバー１０の回動に連動して上下動する押圧部２で基板実装コネクタ４を押圧して押し上げて、基板実装コネクタ４の電極部５とコンタクトピン７の接触子８との接続状態を解除するものとしたことにより、ソケット本体１から基板実装コネクタ４の取り外しを容易にすることができる。したがって、取り外し時に基板実装コネクタ４を傷つける虞が少ない。
【００３２】
図９は、コンタクトピン７の接触子８の変形例を示す側面図である。このコンタクトピン７の接触子８は、図９（ｂ）に拡大して示すように、先端部の支持部６と反対側端部を略半円形状に突出させて突起部８ａを設け、この突起部８ａにより基板実装コネクタ４に互いに向い合って設けられた各電極部５に内側から接続するようになっている。
【００３３】
この場合、図１０（ａ）に示すように、接触子８に対して矢印Ａ方向に基板実装コネクタ４を挿入する。このとき、図９（ｂ）に示すように、接触子８は、挿入される基板実装コネクタ４の電極部５によって二点鎖線で示す位置から実線で示す位置まで弾性的に押し狭められ、接触子８の突起部８ａが略円弧状に屈曲させて突出させた電極部５のロック部５ａに対して内側から接触する。さらに基板実装コネクタ４が挿入されると、図１０（ｂ）に示すように接触子８の突起部８ａが基板実装コネクタ４の電極部５に摺動しながら電極部５のロック部５ａを下から上に向かって通過する。このとき、接触子８は、図９（ｂ）に破線で示すようにさらに押し狭められて、電極部５のロック部５ａを乗り越えて行く。そして、図１０（ｃ）に示すように、接触子８の突起部８ａが電極部５のロック部５ａに係止する。これにより、基板実装コネクタ４がソケット本体１から容易に抜け落ちないように保持されて接触子８と電極部５との接続状態が維持される。
【００３４】
基板実装コネクタ４をソケット本体１から取り外すときは、図９（ａ）に示すように、操作レバー１０を矢印Ｂ方向に回動すればよい。これにより、押圧部２が操作レバー１０の回動操作に連動して垂直上方に上昇し、同図（ｂ）に示す押圧部２の上面２ｂで基板実装コネクタ４を押圧して押し上げて、基板実装コネクタ４の電極部５とコンタクトピン７の接触子８との接続状態を解除し、基板実装コネクタ４の取り外しを可能にする。基板実装コネクタ４がソケット本体１から取り外された後は、操作レバー１０は、図７（ａ）に示す矢印Ｃ方向に自重で落下して初期状態に戻る。
【００３５】
なお、上記実施形態において、基板としてフレキシブルプリント基板３を用いた場合について説明したが、これに限られず、基板は通常の配線基板であればいかなるものであってもよい。
【図面の簡単な説明】
【００３６】
【図１】本発明による電気部品用ソケットの実施形態を示す平面図である。
【図２】図１の側面図である。
【図３】図１のＸ−Ｘ線断面図である。
【図４】上記電気部品用ソケットに適用される基板実装コネクタの一構成例を示す図であり、（ａ）は平面図、（ｂ）は（ａ）の縦断面図、（ｃ）は（ａ）の横断面図である。
【図５】上記電気部品用ソケットのコンタクトピンの接触子と基板実装コネクタの電極部との接続過程において、電極部と接触子との位置決め状態を示す説明図である。
【図６】上記電気部品用ソケットのコンタクトピンの接触子と基板実装コネクタの電極部との接続過程において、接触子が電極部のロック部通過状態を示す説明図である。
【図７】上記電気部品用ソケットのコンタクトピンの接触子と基板実装コネクタの電極部との接続過程において、電極部と接触子との接続完了状態を示す説明図である。
【図８】上記電気部品用ソケットにおいて、基板実装コネクタの取り外し動作を示す説明図である。
【図９】上記コンタクトピンの接触子の変形例を示す側面図である。
【図１０】図９に示す接触子と基板実装コネクタの電極部との接続過程を示す説明図である。
【符号の説明】
【００３７】
１…ソケット本体
２…押圧部（接続解除手段）
２ｃ…側端面
３…フレキシブルプリント基板
４…基板実装コネクタ
５…電極部
７…コンタクトピン
８…接触子
１０…操作レバー
１０ａ…側部
１２…長孔
１３…突出部
【図１】
2006114433.tif 000003
【図２】
2006114433.tif 000004
【図３】
2006114433.tif 000005
【図４】
2006114433.tif 000006
【図５】
2006114433.tif 000007
【図６】
2006114433.tif 000008
【図７】
2006114433.tif 000009
【図８】
2006114433.tif 000010
【図９】
2006114433.tif 000011
【図１０】
2006114433.tif 000012